(57)【要約】      （修正有）【課題】ユーザの動作を妨げず、互いに離間した複数の位置に使用することもでき、かつ、使用中であってもパルスを容易に制御することができる低周波マッサージ器を提供する。【解決手段】低周波マッサージ器１００は、電源８０と、或る周波数および或る振幅を有する制御信号を出力する演算制御部１２と、電源から電力供給を受けて、制御信号の周波数および振幅のそれぞれに対応した第１の周波数および第１の電圧を有する電気パルスを生成するパルス生成部１４と、電気パルスを出力する第１の出力部７０と、第１の出力部７０とは別に、電気パルスを出力する第２の出力部５０とを一体として備えている。【選択図】図４
0003188604.tif 000002
【実用新案登録請求の範囲】
【請求項１】
電源と、
或る周波数および或る振幅を有する制御信号を出力する演算制御部と、
前記電源から電力供給を受けて、前記制御信号の周波数および振幅のそれぞれに対応した第１の周波数および第１の電圧を有する電気パルスを生成するパルス生成部と、
前記電気パルスを出力する第１の出力部と、
前記第１の出力部とは別に、前記電気パルスを出力する第２の出力部とを一体として備えた低周波マッサージ器。
【請求項２】
前記第１の出力部は、人体に対して前記電気パルスを与える第１の電極パッドを直接取り付け可能な端子であり、
前記第２の出力部は、人体に対して前記電気パルスを与える第２の電極パッドを、導線を介して接続可能な端子であることを特徴とする請求項１に記載の低周波マッサージ器。
【請求項３】
人体に対して前記電気パルスを与え、前記第１の出力部に直接取り付け可能な第１の電極パッドと、
人体に対して前記電気パルスを与え、前記第２の出力部に導線を介して接続される第２の電極パッドとをさらに備えたことを特徴とする請求項１または請求項２に記載の低周波マッサージ器。
【請求項４】
前記第１の出力部は、前記第１の電極パッドに取り付けられたホックと嵌合するホック型端子であり、
前記第２の出力部は、前記導線に接続されたプラグに対応するジャック型端子であることを特徴とする請求項２または請求項３に記載の低周波マッサージ器。
【請求項５】
前記第１の電極パッドを前記第１の出力部に取り付けた場合、前記第１の電極パッドは、前記低周波マッサージ器と一体として人体に貼り付けられ、
前記第２の電極パッドを前記第２の出力部と電気的に接続した場合、前記第２の電極パッドは、前記低周波マッサージ器とは別個に人体に貼り付けられることを特徴とする請求項２から請求項４のいずれか一項に記載の低周波マッサージ器。
【考案の詳細な説明】
【技術分野】
【０００１】
本考案は、低周波マッサージ器に関する。
【背景技術】
【０００２】
低周波マッサージ器は、人体を流れる生体電流と同じ性質の低周波電流を皮膚から体内に供給し、神経に刺激を与える。これにより、低周波マッサージ器は、筋肉の運動を活発化させ、血行を促進し、こり、痛み、まひ、疲れ等の症状を緩和する。このような低周波マッサージ器は、人体の皮膚に接触させた一対の電極間に或る電圧の低周波パルスを印加する。これによって、低周波マッサージ器は、人体に電気的な刺激を与え、それにより該人体をマッサージまたは治療することができる。
【先行技術文献】
【特許文献】
【０００３】
【特許文献１】特開２０１１−０６７２９４号公報
【特許文献２】特開２００１−００９０４６号公報
【特許文献３】特開２０００−２０２０３５号公報
【特許文献４】特開２００３−０４７６６５号公報
【特許文献５】特開平６−２９２７３２号公報
【特許文献６】特開平６−２７７３０２号公報
【特許文献７】特開平６−２４６００８号公報
【特許文献８】実開平６−７４１４９号公報
【特許文献９】実開平６−７４１５０号公報
【特許文献１０】実開平６−７４１５１号公報
【特許文献１１】実開平５−４８９５５号公報
【特許文献１２】登録実用新案第３０８８３５５号明細書
【考案の概要】
【考案が解決しようとする課題】
【０００４】
従来の皮膚粘着型（プラスター型）の低周波マッサージ器は、人体皮膚の表面に粘着する施療子（電極パッド）と、この施療子を制御するためのコントローラと、施療子とコントローラとの間を電気的に接続する導線とを備えていた。しかし、コントローラと施療子とは互いに離れており、導線によって接続されている。このため、導線は、ユーザの動作に対して邪魔になり、ユーザにとって煩わしいという問題があった。また、マッサージ器の使用時においてユーザはコントローラを意識し携帯しなければならないという問題もあった。例えば、ユーザは、コントローラを手に持つか、あるいは、衣服または首に掛ける必要があった。
【０００５】
これに対し、施療子とコントローラとを一体化した低周波マッサージ器が開発されている（特許文献１〜１２）。このような一体型低周波マッサージ器は、施療子とコントローラとの間を接続する導線が不要となるため、ユーザの動作を妨げず、かつ、小型化され得る。また、ユーザはコントローラと意識する必要が無い。しかし、施療子とコントローラとが一体化されているため、ユーザがコントローラを操作し難いという問題があった。また、施療子とコントローラとが一体化されているため、人体の特定の位置のみ施療することはできるが、互いに離間した複数の位置を同時に施療することができないという問題があった。もし、互いに離間した複数の位置を同時に施療する場合、複数の低周波マッサージ器が必要となる。これは、ユーザにとってコスト高となり不都合である。さらに、複数の低周波マッサージ器を同時に用いた場合であっても、各低周波マッサージ器は互いに同期していないため、ユーザは違和感を感じるという問題もあった。
【０００６】
そこで、本考案は、上記した課題を解決するために、ユーザの動作を妨げず、互いに離間した複数の位置に使用することもでき、かつ、使用中であってもパルスを容易に制御することができる低周波マッサージ器を提供することを目的とする。
【課題を解決するための手段】
【０００７】
本考案による実施形態に従った低周波マッサージ器は、電源と、或る周波数および或る振幅を有する制御信号を出力する演算制御部と、電源から電力供給を受けて、制御信号の周波数および振幅のそれぞれに対応した第１の周波数および第１の電圧を有する電気パルスを生成するパルス生成部と、電気パルスを出力する第１の出力部と、第１の出力部とは別に、電気パルスを出力する第２の出力部とを一体として備えている。
【０００８】
前記第１の出力部は、人体に対して前記電気パルスを与える第１の電極パッドを直接取り付け可能な端子であり、前記第２の出力部は、人体に対して前記電気パルスを与える第２の電極パッドを、導線を介して接続可能な端子であってよい。
【０００９】
本実施形態による低周波マッサージ器は、人体に対して前記電気パルスを与え、前記第１の出力部に直接取り付け可能な第１の電極パッドと、人体に対して前記電気パルスを与え、前記第２の出力部に導線を介して接続される第２の電極パッドとをさらに備えていてもよい。
【００１０】
前記第１の出力部は、前記第１の電極パッドに取り付けられたホックと嵌合するホック型端子であり、前記第２の出力部は、前記導線に接続されたプラグに対応するジャック型端子であってもよい。
【００１１】
前記第１の電極パッドを前記第１の出力部に取り付けた場合、前記第１の電極パッドは、前記低周波マッサージ器と一体として人体に貼り付けられ、前記第２の電極パッドを前記第２の出力部と電気的に接続した場合、前記第２の電極パッドは、前記低周波マッサージ器とは別個に人体に貼り付けられてもよい。
【考案の効果】
【００１２】
本考案による低周波マッサージ器は、ユーザの動作を妨げず、互いに離間した複数の位置に使用することもでき、かつ、使用中であってもパルスを容易に制御することができる。
【図面の簡単な説明】
【００１３】
【図１】本実施形態に従った低周波マッサージ器１００の本体を示す上面図。
【図２】本実施形態による低周波マッサージ器１００の４つの側面を示す斜視図。
【図３】本実施形態に従った低周波マッサージ器１００の裏面を示す図。
【図４】本実施形態に従った低周波マッサージ器１００の内部構成の一例を示すブロック図。
【図５】ホック型端子７０に直接取付け可能な電極パッド９０の構成の一例を示す図。
【図６】電極パッド９０を低周波マッサージ器１００の本体に取り付けた状態を示す図。
【図７】ジャック型端子５０に取付け可能な電極パッド１１０および導線１２０の構成の一例を示す図。
【図８】プラグ１２１を低周波マッサージ器１００の本体に取り付けた状態を示す図。
【考案を実施するための形態】
【００１４】
以下、図面を参照して本考案に係る実施形態を説明する。本実施形態は、本考案を限定するものではない。
【００１５】
図１は、本実施形態に従った低周波マッサージ器１００の本体を示す上面図である。低周波マッサージ器１００は、筐体１０と、電源スイッチ２０と、モード切替スイッチ３０と、ランプ４０とを備えている。筐体１０は、低周波の電気パルスを出力するために、後述する各構成要素を収納している。低周波マッサージ器１００が出力する電気パルスは、人体を流れる生体電流と同じ性質の低周波パルスであり、人体の皮膚から体内に供給され、神経に刺激を与える。これにより、電気パルスは、筋肉の運動を活発化させ、血行を促進し、こり、痛み、まひ、疲れ等の症状を緩和するように作用する。
【００１６】
電源スイッチ２０は、低周波マッサージ器１００に対する電力共有をスイッチングするために設けられている。電源スイッチ２０をオンにすると、低周波マッサージ器１００に電力が供給される。電源スイッチ２０をオフにすると、低周波マッサージ器１００への電力供給が遮断される。
【００１７】
モード切替スイッチ３０は、電気パルスの出力モードを切り替えるスイッチである。電気パルスの出力モードを切り替えることによって、低周波マッサージ器１００は、電気パルスの周波数（人体に電力（刺激）を与える周期）を変更し、あるいは、電気パルスの電圧（人体に与える電力（刺激）の強さ）を変更する。電気パルスの出力モードを切り替えることによって、ユーザは、“もむ”、“たたく”、“指圧する”等の様々なマッサージの刺激および効果を得ることができる。例えば、本実施形態による低周波マッサージ器１００は、“もむ”、“たたく”、“指圧する”、“自動”の４つのモードを有する。この場合、モード切替スイッチ３０は、“もむ”、“たたく”、“指圧する”、“自動”の４つのモードを切り替えることができる。さらに、モード切替スイッチ３０は、電気パルスの周波数または電圧を増大または低減させるように構成されていてもよい。尚、“自動”モードは、“もむ”、“たたく”、“指圧する”の各モードを所定時間ごとに順番に切り替えるモードである。
【００１８】
ランプ４０は、電源の状態または出力モードの状態を示す。ランプ４０は、例えば、ＬＥＤでよい。
【００１９】
図２（Ａ）〜図２（Ｄ）は、本実施形態による低周波マッサージ器１００の４つの側面を示す斜視図である。図２（Ａ）〜図２（Ｄ）は、それぞれ図１の側面Ｓ１〜Ｓ４を示す。
【００２０】
図２（Ａ）に示すように、側面Ｓ１には、モード切替スイッチ３０が設けられている。モード切替スイッチ３０は、凸部を有するダイヤル形状に形成されている。モード切替スイッチ３０の凸部を筐体１０の内部方向（矢印Ａ１の方向）へ押すと、電気パルスの出力モードが切り替わる。また、モード切替スイッチ３０の凸部を筐体１０の左右方向に（矢印Ａ２の方向）に押すと、電気パルスの強さ（電圧）が増大または低減する。モード切替スイッチ３０の凸部を矢印Ａ２の方向に押した場合に、電気パルスの周波数が増大または低減してもよい。
【００２１】
図２（Ｂ）に示すように、側面Ｓ２にはジャック型端子５０が設けられている。ジャック型端子５０は、後述する導線に接続されたプラグを差し込むことができるように構成されている。ジャック型端子５０は、プラグと電気的に接続され、導線に電気パルスを出力する。
【００２２】
図２（Ｃ）に示すように、側面Ｓ３には、電源スイッチ２０が設けられている。電源スイッチ２０は、上述の通り、低周波マッサージ器１００の電源をオンまたはオフにするために設けられている。
【００２３】
図２（Ｄ）に示すように、側面Ｓ４には、電池収納部６０が設けられている。電池収納部６０に収納された電池は、低周波マッサージ器１００の電源として機能し、低周波マッサージ器１００の各構成要素へ電力を供給するように構成されている。
【００２４】
図３は、本実施形態に従った低周波マッサージ器１００の裏面を示す図である。低周波マッサージ器１００は、さらに、電極パッドを直接取り付けることができるホック型端子７０を備えている。ホック型端子７０は、電極パッドに取り付けられたホック対と嵌合するホック対７１、７２を含む。本実施形態では、ホック型端子７０は、例えば、雌型ホックであり、導電性金属を用いて形成されている。
【００２５】
図４は、本実施形態に従った低周波マッサージ器１００の内部構成の一例を示すブロック図である。低周波マッサージ器１００は、電源スイッチ２０、モード切替スイッチ３０、第１の出力部としてのホック型端子７０、および、第２の出力部としてのジャック型端子５０の他、演算制御部としてのＭＣＵ（Micro-Controller Unit）１２と、パルス生成部１４とをさらに備えている。
【００２６】
ＭＣＵ１２は、モード切替スイッチ３０からのモード信号および電圧信号に基づいた制御信号を出力する。このために、ＭＣＵ１２は、制御信号を制御するプログラムを予め格納している。ＭＣＵ１２は、このプログラムを実行することによって、モード切替スイッチ３０からのモード信号および電圧信号を受け、それぞれに対応する周波数および振幅を有する制御信号を出力する。
【００２７】
パルス生成部１４は、電圧調整モジュール１５と、パルス制御モジュール１６とを備えている。電圧調整モジュール１５は、電気パルスの電圧値を、制御信号の振幅に従った第１の電圧に調整する。これにより、人体に与える刺激の強さが決定される。パルス制御モジュール１６は、電気パルスの周波数を、制御信号の周波数に従った第１の周波数に制御する。これにより、人体に与える刺激の周波数（周期または間隔）が決定される。このように、パルス生成部１４は、電池８０から電力供給を受けて、制御信号の周波数および振幅のそれぞれに対応した第１の周波数および第１の電圧を有する電気パルスを生成する。
【００２８】
パルス生成部１４からの電気パルスは、第１の出力部としてのホック型端子７０および／または第２の出力部としてのジャック型端子５０へ送られる。そして、第１の電極パッド９０がホック型端子７０に取り付けされている場合には、第１の電極パッド９０が人体へ電気パルスを出力する。第２の電極パッド１１０が導線１２０を介してジャック型端子５０に取り付けられている場合には、第２の電極パッド１１０が人体へ電気パルスを出力する。
【００２９】
尚、電気パルスは、ホック型端子７０およびジャック型端子５０の両方に並行して出力されてもよい。代替的に、接続スイッチをパルス生成部１４と端子７０、５０との間に設けてもよい。この場合、ユーザは、必要に応じて、パルス生成部１４の出力をホック型端子７０またはジャック型端子５０に接続するように接続スイッチを切り替える。
【００３０】
ホック型端子７０およびジャック型端子５０は、同一電気パルスを出力可能であるが、それぞれ異なる部材として設けられている。ホック型端子７０は、電極パッド９０を直接取り付け可能な端子である。ジャック型端子５０は、プラグおよび導線を介して電極パッド１１０と接続可能な端子である。
【００３１】
図５は、ホック型端子７０に直接取付け可能な電極パッド９０の構成の一例を示す図である。電極パッド９０は、パッド９３と、ホック型端子９５とを備えている。パッド９３は、ホック型端子９５が設けられた面とは反対側に粘着面を有する。これにより、パッド９３は、人体の皮膚に貼り付くことができる。ホック型端子９５は、ホック対９１、９２を備え、図３に示す低周波マッサージ器１００のホック対７１、７２と嵌合するように構成されている。ホック対７１、７２が雌型ホックである場合、ホック対９１、９２は、雄型ホックとなる。ホック型端子９５は、導電性金属を用いて形成されている。例えば、ホック対７１、７２がそれぞれホック対９１、９２に接続された場合、電気パルスによる電流は、ホック７１、９１から人体を通ってホック７２、９２へ流れ、あるいは、ホック７２、９２から人体を通ってホック７１、９１へ流れる。
【００３２】
図６は、電極パッド９０を低周波マッサージ器１００の本体に取り付けた状態を示す図である。このように、電極パッド９０は、低周波マッサージ器１００の本体に直接取り付けることができる。電極パッド９０を低周波マッサージ器１００の本体に取り付けた場合、電極パッド９０は、低周波マッサージ器１００と一体として人体に貼り付けられる。従って、本実施形態による低周波マッサージ器１００は、低周波マッサージ器１００の本体と電極パッド９０との間を接続する導線が不要となる。その結果、低周波マッサージ器１００は、小型化され、かつ、ユーザの動作を妨げない。また、ユーザは、低周波マッサージ器１００の本体（コントローラ）を意識する必要が無い。
【００３３】
図７は、ジャック型端子５０に取付け可能な電極パッド１１０および導線１２０の構成の一例を示す図である。導線１２０の一端には、電極パッド１１０が接続されている。導線１２０の他端には、ジャック型端子５０に差し込み可能なプラグ１２１が接続されている。電極パッド１１０は、導線１２０が接続された面とは反対側に粘着面を有する。これにより、電極パッド１１０は、人体の皮膚に貼り付くことができる。
【００３４】
プラグ１２１が図２（Ｂ）に示すジャック型端子５０に差し込まれると、電気パルスは、導線１２０を介して電極パッド１１０に伝達される。そして、電気パルスによる電流は、一方の電極パッド１１０から人体を通って他方の電極パッド１１０へ流れる。
【００３５】
図８は、プラグ１２１を低周波マッサージ器１００の本体に取り付けた状態を示す図である。電極パッド１１０は、プラグ１２１および導線１２０を介して低周波マッサージ器１００からの電気パルスを人体へ出力することができる。このように、電極パッド１１０をジャック型端子５０に電気的に接続した場合、電極パッド１１０は、低周波マッサージ器１００とは別体として人体に貼り付けられる。従って、ユーザは、低周波マッサージ器１００の施療を受けながら、低周波マッサージ器１００の調節を手元で行うことができる。
【００３６】
また、導線１２０が２つの電極パッド１１０を分離している。従って、本実施形態による低周波マッサージ器１００は、互いに離間した複数の位置を同時に施療することができる。
【００３７】
さらに、２つの電極パッド１１０は、同一周波数および同一電圧の電気パルスを人体へ同時に供給する。従って、互いに離間した複数の位置を同時に施療する場合であっても、ユーザは違和感を感じない。
【００３８】
このように、本実施形態による低周波マッサージ器１００は、第１の出力部としてのホック型端子７０および第２の出力部としてのジャック型端子５０の両方を備える。これにより、低周波マッサージ器１００は、その本体と電極パッド９０とを一体として用いることもでき、かつ、その本体と電極パッド１１０とを別体として用いることもできる。その結果、低周波マッサージ器１００は、ユーザの要望に対応した使用を可能とする。即ち、低周波マッサージ器１００の本体と電極パッド９０とを一体として用いた場合、低周波マッサージ器１００は、ユーザの動作を妨げない使用を可能する。低周波マッサージ器１００の本体と電極パッド９０とを別体として用いた場合、低周波マッサージ器１００は、互いに離間した複数の人体位置を施療することができ、かつ、電子パルスのモード変更を容易化する。
【符号の説明】
【００３９】
１００…低周波マッサージ器本体
１０…筐体
２０…電源スイッチ
３０…モード切替スイッチ
４０…ランプ
５０…ジャック型端子
６０…電池収納部
７０…ホック型端子
８０…電池
９０…電極パッド
１１０…電極パッド
１２０…導線
１２１…プラグ
【図１】
0003188604.tif 000003
【図２】
0003188604.tif 000004
【図３】
0003188604.tif 000005
【図４】
0003188604.tif 000006
【図５】
0003188604.tif 000007
【図６】
0003188604.tif 000008
【図７】
0003188604.tif 000009
【図８】
0003188604.tif 000010